(57)【要約】【課題】  劇場の舞台を本舞台から裏舞台へ裏舞台から本舞台へ、さらにその何れかの舞台を外の劇場の舞台へと自由に移動させるクロスホールスライドシステムを供給する。【解決手段】  劇場１、劇場２、劇場３に組み込まれた可動式１１と仕切付き肘掛客席１３や車椅子席等との連携による快適芸能観賞。【選択図】  図１
2015113561.tif 000002
【特許請求の範囲】
【請求項１】
劇場との本舞台と裏舞台及び劇場と劇場に複合可動式で繋ぐ、劇場間可動式舞台、及び大劇場の客席の距離を縮める全方位型劇場、及び椅子を仕切り付き客席にすることで、隣席の肘と接触しない観覧椅子等による快適な観賞を添えた観客動員及び経済効果を促すことを特長とするクロスホールスライドシステム。
【請求項２】
前記劇場の本舞台や裏舞台そして劇場間を複合可動式舞台によって舞台を移動させ観客数にあった上演と新旧公演クロス時の即日クロスを行うことができる請求項１記載のクロスホールスライドシステム。
【請求項３】
前記大劇場の舞台を中央に設置し、その舞台を客席で、全方位型で包囲し舞台と客席距離を縮める請求項１に関るクロスホールスライドシステム。
【請求項４】
前記劇場、及び前記大劇場に附属する椅子に仕切り付き肘掛客席の細工を行い、両肘を伸ばすことで快適感を生むことを特徴とする請求項１に関るクロスホールスライドシステム。
【請求項５】
請求項１、請求項２、請求項３、請求項４の連係による相乗効果のクロスホールスライドシステム
【発明の詳細な説明】
【技術分野】
【０００１】
本発明は、移動舞台、丸舞台、仕切付き肘掛客席の相乗効果による劇場運営システム。
【背景技術】
【０００２】
日本に限らず世界中の劇場が旧作舞台から新作舞台に装いを変えるとき、５日から７日程度の休館を余儀なくされている。
それは、固定された舞台で旧作の各幕のセットを外し、新作の各幕のセットを設置し、本稽古を行うのに最低限の日数なのである。
とはいえ、この休館日は可能であれば取り除いてよい無駄な日時なのである。
文化大国といわれているフランスに決して劣ることのない文化を潜在させながら、眠らせたままであったり、継続することなく消滅する日本の文化事情には、とくに重要なテーマといえる。
文化継承に大事な要素は環境作りである。
それは、劇場で例を上げれば、老若男女がこぞって足を運んでくれるプログラム。
庶民的料金体系を確立するためのシステム。
リピートを高める工夫。
外国人旅行者が認める文化施設。
等々の環境の構築である。
【発明の概要】
【発明が解決しようとする課題】
【０００３】
従来より劇場には、本舞台と稽古用の裏舞台が二つあり、単純に稽古用舞台は生かされていなかった。
ところが、当システムの登場により、演劇やコンサートだけではなく、あらゆる催しに活用が予想され、大都市圏の会館に設置されている舞台にも応用できるわけで、舞台の革命的変革になり得る。
【課題を解決するための手段】
【０００４】
本発明のクロスホールスライドシステムは、劇場内で、及び他の劇場との舞台を観客数や変化する諸条件に合わせてクロスさせる方法で、演目の新旧交代時の舞台装置入れ替え、及び舞台稽古等に要する５日から７日の休館日の解消による劇場運営を特徴とする。
この劇場運営の変革により、例えば単館の劇場も休館日を営業日に変えることができ、また、複数の劇場を大小交叉に連ねれば観客数に合った公演が常時可能になり、光熱費や劇場運営に合った無駄を省くことができる。
このクロスホールスライド方式は、単価の面でもメリットがある。
たとえば、敷地内の複数の劇場で色々なジャンルの芸能を上演する形態にした場合、趣
味が違う者同士が一緒に足を運んでくれる相乗効果も発生する訳で、従来型の単館興業に比べ公演回数を増やす要因にもなる。
入場者が増え公演回数が増えれば当然の結果として原価が安くなり、観賞チケットも安く設定できるわけで、観賞人口増にも寄与できる。
また、当システムは警備員や案内係の円滑活用でもあり、運営費削減にもなる。
たとえば、敷地内の複数劇場を移動させる場合、各劇場の開演時間を操作することで、警備員や案内係の複数劇場の掛け持ちが可能になり、彼等を開演と閉演に間を開けず繰り返し従事させることができるわけだから、単館興業とは比べものにならない労働効率を生むわけであり、正社員を増やす要因にもなり得る。
さらに、このクロスホールスライド方式の劇場は文化的メリットにも貢献する。
それは、劇場の集合により、大勢が来客するメッセンジャーな芸能で利益を上げる一方で、少数派の人にしか人気がない芸能も文化として全体を盛り上げる枝葉として欠かせない存在である。
文化的商業施設として永続的に繁営する条件は総体的黒字を前提にした、この部分的赤字こそが事業に厚味を加えると共に文化的価値を高める要因である特に歴史に彩られた芸能は外国人に人気があることも見逃せないわけで、国際的な文化施設としての地位を築くためにも欠かせないメニューが潜んでいる。
【発明の効果】
【０００５】
舞台が可動式で動き移動ができることで、固定式の本舞台や裏舞台による芸能ではあり得なかった休館日を無くしたことにより、年間で約２ヵ月の公演増を実現できる。
舞台が劇場から劇場へ移動できることで、観賞客の人数に合った劇場で公演が行われ、効率的である。
椅子の肘掛けに境目を付けてやることで隣同志の気遣いが薄れ、より快適な観賞を促す。
これらの観客にやさしい運営が新たな客を掘り起こし世界の芸能の発展にも寄与する。
【図面の簡単な説明】
【０００６】
【図１】実施の形態である仕切付き肘掛客席の概要を示した構成図である。
【図２】実施の形態である仕切付き肘掛客席の概要を示した構成図である。
【発明を実施するための形態】
【０００７】
図１は実施の形態であるクロスホールスライドシステム構成図である。
本実施の形態のクロスホールスライドシステムは、大劇場１、中劇場２、小劇場３等と仕切付き肘掛客席１３と本舞台４、５、６と裏舞台７、８、９などによって構成されている。
劇場２、３にある本舞台５、６と裏舞台８、９はレール等で動く可動式舞台であり、共に本舞台５、６から裏舞台、８，９へ。
また、裏舞台８，９から本舞台５，６へ、或いは共にその他の劇場へリモコン操作で場外移動１２できるようになっている。  
これらの可動式１０は大道具、小道具、その他演目進行上必要な美術、スライド劇画などの総ての舞台道具を乗せたまま移動できる。
この可動式１０の舞台は舞台設営及び本舞台での稽古、そして、舞台解体などの場所を自在に移動できるので固定式舞台では考えられなかった変革である。
舞台が自在に動くこの可動式１０によって、本舞台５、６と裏舞台８、９、また、本舞台４と裏舞台７の即日移動が可能になり、新作と旧作の入れ替えに費やしていた１ヵ月平均５日から７日の休館日が不要になる。
固定式舞台の月平均の休館日は１ヵ月公演の場合は５日。
１日公演や３日公演や１週間公演などの混合は合計７日程度であり、一劇場当り年間約２ヵ月以上の稼働日をこの可動式１０が増やしてくれる。
さらに、設営された舞台をそっくりそのまま、例えば、小劇場３から中劇場２に移動できる訳であるから、前売り券が予測以上の大人気１４であっても予測以下の不人気１５であっても即日の下、舞台を移動し、客数に適した劇場で上演し、雰囲気、及び経済効果を適切に発揮させる。
そして、集客数の増減は高額席や車椅子席の増減でもあるわけで、大中小劇場１、２、３に合わせて、それらの席の比率も増減するようになっている。
特に車椅子席は、各劇場共、最前列席を除き、縦横通路側に設置し、専用通路を設けているので、不自由なく移動ができる仕組みになっている。
これらの観客側の視点で設計されたシステムに対する満足度をさらに高めるためには、座席の心地よさが大事であることから、仕切付き肘掛客席１３図２を設置することとなる。
可動式１０による効率的劇場運営の相乗効果をさらに高めるために、通常の中規模劇場では対処できない超人気演目に対処するために、１万人収容の大劇場１を備える。
演目はコンサートやサーカスなどに限られるが、この劇場の特徴は奈落でクロスする可動式１０を設け、上階の全方位劇場に本舞台が昇る設計にして、観客席を舞台により近く設計する。
そこで、通常の扇型の舞台と違い、舞台の袖はどうするのか、花道はどうするのか、幕はどうするのか。
といった問題が出てくる。
当然、それらの問題解決がなければ、当案の大劇場奈落１１は成立しない。
先ず花道は舞台を中心にクロス型の花道を観客席の間に通す。
袖は奈落から階段で繋ぐ。
そして、幕は舞台を取り囲む筒状の幕が奈落から昇り、そして下りる。
もちろん、舞台は他の劇場同様、可動式１０により本舞台４裏舞台７が入れ替わり、即日、演目を切り替える仕組みを備えている。
このように出演者にとっても観客にとっても運営者にとっても最良の作品を作り、観せ、感動を与える芸能を提供し続けることができる。
【符号の説明】
【０００８】
１  大劇場奈落
２  中劇場
３  小劇場
４  本舞台
５  本舞台
６  本舞台
７  裏舞台
８  裏舞台
９  裏舞台
１０  可動式
１１  可動式
１２  場外移動
１３  仕切付き肘掛客席
１４  大人気
１５  不人気
【図１】
2015113561.tif 000003
【図２】
2015113561.tif 000004